(57)【要約】      （修正有）【課題】テーブルの種類を問わず、容易かつ安定的に衛生マスクを、テーブル表面に接触しない状態で保持することができる、マスクスタンドを提供する。【解決手段】衛生マスクを自立させるために使用するマスクスタンドであって、少なくとも１つの、衛生マスクをテーブル上に自立支持する面積を有する支持部Ｂとを備え、支持部は、衛生マスクを挟持する挟持部Ｃを有する。【選択図】図１
0003231254.tif 000002
【実用新案登録請求の範囲】
【請求項１】
衛生マスク（Ａ）を自立させるために使用するマスクスタンドであって、
少なくとも１つの、当該衛生マスク（Ａ）を自立支持する支持部（Ｂ）とを備え、
前記支持部は、前記衛生マスク（Ａ）を挟持する挟持部（Ｃ）を有することを特徴とするマスクスタンド。
【請求項２】
衛生マスク（Ａ）と、請求項１に記載のマスクスタンドとを含む衛生マスクセット。
【考案の詳細な説明】
【技術分野】
【０００１】
本考案は、新規のマスクスタンドに関するものであり、より具体的には、、容易かつ安定的に衛生マスクを、テーブル表面に接触しない状態で保持することができるマスクスタンドに関する。
【背景技術】
【０００２】
インフルエンザや新型コロナウィルス（ＣＯＶＩＤ−１９）などによる感染症蔓延時においては、感染リスクを低減させる方法として、外出時には、マスク（衛生マスク）を着用することが有効とされている。
【０００３】
一方で、食事の際には、着用しているマスクを外した状態で、食事をすることになる。
【０００４】
ここで、マスクをテーブル上に置くことは、仮にウィルスがマスク表面あるいはテーブル表面に付着していた場合、感染拡大を招来するおそれもある上に、他者に不快感を与える可能性もあるという、マナー上の観点からも、改善されるべきである。
【０００５】
このような状態を鑑みて、様々なマスクスタンドが提案されている。たとえば、非特許文献１では、「美容院や部屋などマスクを外す時」や「水分補給時などのマスク置き」として、衛生マスクの耳掛け部分（紐部分）を懸吊するためのフック部を有しているマスクスタンドが開示されている。このフック部に耳掛け部分を懸吊することで、マスク本体がテーブル面に接触することを防ぎ、延いては感染拡大を低減することになる。
【先行技術文献】
【特許文献】
【０００６】
【非特許文献１】https://www.open-k.co.jp/wp-content/themes/open-k/pdf/mg-10,20-%e3%83%81%e3%83%a9%e3%82%b7a.pdf
【考案の概要】
【考案が解決しようとする課題】
【０００７】
本考案者は、鋭意検討の結果、従来のマスクスタンドとは異なる技術的視点から、衛生マスク（Ａ）を挟持する挟持部により自立支持する支持部を有することで、テーブルの種類を問わず、容易かつ安定的に衛生マスクを、テーブル表面に接触しない状態で保持することができることを見出した。
【０００８】
すなわち、本考案は、テーブルの種類を問わず、容易かつ安定的に衛生マスクを、テーブル表面に接触しない状態で保持することができる、新規のマスクスタンドを提供することを目的とする。
【課題を解決するための手段】
【０００９】
本考案に係るマスクスタンドは、衛生マスク（Ａ）を自立させるために使用するマスクスタンドであって、  少なくとも１つの、当該衛生マスク（Ａ）を自立支持する支持部（Ｂ）とを備え、前記支持部は、前記衛生マスク（Ａ）を挟持する挟持部（Ｃ）を有することを特徴とする。
【００１０】
本考案に係る衛生マスクセットは、衛生マスク（Ａ）と、請求項１または２に記載のマスクスタンドとを含むことを特徴とする。
【考案の効果】
【００１１】
本考案に係るマスクスタンドによれば、テーブルの種類を問わず、容易かつ安定的に衛生マスクを、テーブル表面に接触しない状態で保持することができ、延いては、感染症リスクを優位に低減するという効果が奏される。
【図面の簡単な説明】
【００１２】
【図１】図１は、本考案に係るマスクスタンドの一態様を説明するための図である。
【図２】図２は、本考案に係るマスクスタンドの使用例を説明するための図である。
【図３】図３は、本考案に係るマスクスタンドの使用例を説明するための図である。
【考案を実施するための形態】
【００１３】
以下、本考案に係るマスクスタンドについて、図面を適宜参照しながら説明する。
【００１４】
本考案に係るマスクスタンドは、マスク（衛生マスク）を自立させるために使用するものである。より具体的には、衛生マスクを着用した使用者が、飲食時に一時的に当該マスクを外した際に、図２に示されるように、マスクをテーブル面に触れない状態で、自立させるためのものである。なお、本考案に係るマスクスタンドは、大きさや材質については特に限定されず、適宜選択することが可能である。
【００１５】
本考案に係るマスクスタンドは、図１に示されるように、支持部Ｂを備えることを特徴とする。
【００１６】
ここで、支持部Ｂは少なくとも１つ、すなわち１つでも、２つ以上備えていてもよい。
【００１７】
たとえば、支持部Ｂの下部（テーブル面に接する部分）のテーブル面設置面積が比較的大きい場合、安定的にマスクを立たせることができるため、支持部は１つでもよく、支持部Ｂの形態などに基づいて、支持部の数を調製してもよい。
なお、図１では、付番Ｂに示されるように、支持部が２つの態様を示している。
【００１８】
図１の付番Ｃに示されるように、支持部Ｂは、挟持部を有する。ここで、挟持部とは、衛生マスクを挟持する構成であれば、特に限定されるものではない。より具体的には、上記挟持部は、金属やプラスチックなどで構成されたクリップ、クランプなどの締め付け具などであり、衛生マスクを挟み、かつ衛生マスクに圧力を加えることによって保持（挟圧）する手段である。ここで、挟持部は、マスクを容易に保持（挟圧）できるという観点から、挟持部は、クリップであることが好ましい。
【００１９】
図２は、本考案のマスクスタンドの一態様の使用図である。当該図に示されるように、マスクＡをたとえば、半分におった状態において、端部に２つの挟持部で保持（挟圧）して、マスクを自立させて使用する。ここで、図２に示されるように、マスクの本体部分（口および鼻に接する部分であり、飛沫を多く含む部分）は、テーブル面Ｅ１に接触していない状態にある。そのため、仮に、テーブル面またはマスク本体部分にウィルスが付着していたとしても、感染拡大を優位に低減するとともに、心理的な不安感を低減することも可能となる。
【００２０】
また、本考案に係るマスクスタンドは、支持部Ｂを必須構成要件としているが、必要に応じて、任意の構成を有していてもよい。
【００２１】
図１〜３では、付番Ｄ１に示されるように、支持部を２以上備えている場合、当該支持部同士が連結鎖で連結されていてもよい。また、図示はしないが、支持部同士が連結棒で連結されていたり、連結鎖と連結棒との両方で連結されていたりしてもよい。
【００２２】
また、連結鎖（チェーン）を有する場合、図３に示されるように、支持部の１つをマスクに保持（挟圧）させた状態とする一方、別の支持部を、たとえば、椅子の背板Ｅ２に保持（挟圧）させておくことも可能となるし、たとえば、でカバンの持ち手など保持（挟圧）させておくことも可能となる。
【産業上の利用可能性】
【００２３】
本考案によれば、テーブルの種類を問わず、容易かつ安定的に衛生マスクを、テーブル表面に接触しない状態で保持することができ、延いては、感染症リスクを優位に低減できるマスクスタンドを提供することができる。
【符号の説明】
【００２４】
Ａ：衛生マスク
Ｂ：支持部（Ｂ）
Ｃ：挟持部（Ｃ）
Ｄ１：連結鎖
Ｅ１：テーブル表面
Ｅ２：椅子背板
【図１】
0003231254.tif 000003
【図２】
0003231254.tif 000004
【図３】
0003231254.tif 000005